(57)【特許請求の範囲】
【請求項１】
針押出板により針ホルダーの先端から該針ホルダーに収容されているステイプル針の先頭部の１個を外部に押し出しながら該ステイプル針を針曲げ溝に沿って押圧して該針曲げ溝の上に予め載置された複数枚の用紙を前記ステイプル針によりホチキス止めするホチキス部と、
パンチ孔と該パンチ孔の内周に摺接して進退可能なパンチ刃を備え、前記ホチキス部でホチキス止めされたステイプル針を前記複数枚の用紙のホチキス止め部と共にパンチ抜きするパンチ部と、
前記ホチキス部の動作を禁止可能なストッパと、
を一体に組み付けられて構成され、
前記パンチ部は、前記ホチキス部が前記複数枚の用紙をホチキス止めするとき前記パンチ孔に前記パンチ刃を空パンチさせ、
前記ホチキス部は、前記パンチ部がパンチ抜きするとき前記ホチキス部の前記針押出板の前面に沿う位置で前記針ホルダーの前端部上面に当接する位置に移動した前記ストッパによりホチキス止め動作を禁止され、
前記パンチ刃は、複数の山部と谷部から成り且つ前記谷部の少なくとも一箇所は他の谷部よりも深く形成されている、
ことを特徴とするステイプル針除去用パンチ付きホチキス。
【請求項２】
針押出板により針ホルダーの先端から該針ホルダーに収容されているステイプル針の先頭部の１個を外部に押し出しながら該ステイプル針を針曲げ溝に沿って押圧して該針曲げ溝の上に予め載置された複数枚の用紙を前記ステイプル針によりホチキス止めするホチキス部と、
パンチ孔と該パンチ孔の内周に摺接して進退可能なパンチ刃を備え、前記ホチキス部でホチキス止めされたステイプル針を前記複数枚の用紙のホチキス止め部と共にパンチ抜きするパンチ部と、
前記ホチキス部の動作を禁止可能なストッパと、
を一体に組み付けられて構成され、
前記パンチ部は、前記ホチキス部が前記複数枚の用紙をホチキス止めするとき前記パンチ孔に前記パンチ刃を空パンチさせ、
前記ホチキス部は、前記パンチ部がパンチ抜きするとき前記ホチキス部の前記針押出板の前面に沿う位置で前記針ホルダーの前端部上面に当接する位置に移動した前記ストッパによりホチキス止め動作を禁止され、
切替レバーの前後への摺動に応じて前後に移動可能な用紙止めを更に有し、
該用紙止めは、
前記ホチキス部が前記複数枚の用紙をホチキス止めするとき、前記パンチ部よりも前方に位置して前記複数枚の用紙が前記パンチ部に進入することを禁止し、
前記パンチ部がパンチ抜きするとき、前記パンチ部よりも後方に移動して前記ストッパと一体な移動部に当接し該移動部を後方に移動させ、前記ストッパを前記ホチキス部のホチキス止め動作を禁止する位置に移動させる、
ことを特徴とするステイプル針除去用パンチ付きホチキス。
【発明の詳細な説明】
【技術分野】
【０００１】
本発明は、ステイプル針除去用パンチ付きホチキスに係わり、更に詳しくは多目的な用途に使用できるステイプル針除去用パンチ付きホチキスに関する。
【背景技術】
【０００２】
従来、会議や同一部署内の人員にプリント又はコピーされた複数枚の共通資料（用紙）を配布するに際し、その複数の用紙をステイプル針でホチキス止めして綴じる作業が頻繁に行われている。
【０００３】
また、ホチキス止めされた資料からステイプル針を取り除く作業も頻繁に行われている。一般に、ホチキス止めされた資料からステイプル針を取り除く必要が生じる場合としては、概ね次の６通りの場合がある。
【０００４】
すなわち、
１．ホチキス止めの、位置、方向、用紙の揃え順等を間違えて綴じた場合。
２．ホチキス止め資料に、一部資料の追加、削除、変更等が発生した場合。
３．ホチキス止め資料が不要となり、複写機やプリンタ等で裏紙として再利用する場合。
４．ホチキス止め資料を、一枚ごと連続して送る方式でコピーする必要が生じた場合。
５．ホチキス止め資料が不要となり、資源リサイクル用として分別する場合。
６．ホチキス止め資料が不要となり、そのまま捨てずにシュレッダーに掛ける場合。
等である。
【０００５】
文房具としてのホチキスの場合、ステイプル針を除去する方法としては、一般に、ホチキス本体の後端に形成されている専用の突起部を、ホチキス止めされた用紙とステイプル針の間に挿入し、ステイプル針を引き抜く方法が取られている。
【０００６】
ところが、この方法は、密着された用紙とステイプル針の間に突起部を挿入する作業が容易ではなく、困難を伴う方法といえる。また、突起部を挿入できたとしても、そのままステイプル針を用紙から引き抜くことは容易ではない。
【０００７】
したがって、用紙の裏側から、ホチキス止め部にクリンチされたステイプル針の折れ曲がりを伸ばした後、用紙を表に返して用紙とステイプル針の間に突起部を挿入し、ステイプル針を用紙から引き抜くという作業にならざるを得ない。
【０００８】
上記の方法は、用紙に大きな傷を付けない丁寧な方法であるが、中にはステイプル針の折れ曲がりを伸ばず手間を省いて、いきなり用紙とステイプル針の間に突起部を無理矢理に挿入して強引にステイプル針を用紙から引き抜く方法もある。
【０００９】
もちろん、このような方法では、ステイプル針を引き抜いた後の用紙のホチキス止め跡に不規則な形状の傷が残ったり、ときには大きな破れを伴うこともある。
【００１０】
上述した１．〜４．の目的でステイプル針を除去する場合に、ステイプル針を抜いたホチキス止め跡に不規則な形状の傷や大きな破れが有ったのでは、その後の用紙の縁を正しく揃える作業で、不規則な形状の傷や大きな破れが障害となって、作業に支障を来たす。
【００１１】
また、ホチキス止め部からステイプル針を引き抜いたとき、引き抜きの勢いが余って、引き抜いたステイプル針が、あらぬ方に飛んでいって行方が分からなくなることが多々有る。これは将来、人の足底に刺さるなどして危険である。
【００１２】
このように厄介なステイプル針をホチキス止め部から除去する方法として、片面印刷済み用紙の裏面（裏紙）を使用して新たな印刷を行う場合に、ステイプル針が除去されずに用紙に残されていると種々の不具合が生じるので、そのようなステイプル針をパンチ処理で用紙と共に除去する方法が提案されている（例えば、特許文献１参照）。
【００１３】
また、用紙から引き抜いて除去したステイプル針を、飛散しないように保持し、所定の捨て場所に一括して捨てることが出来るようにしたステイプル針リムーバーを有するホチキスの構成が提案されている（例えば、特許文献２参照）。
【先行技術文献】
【特許文献】
【００１４】
【特許文献１】特開２００６−３０６５７１号公報
【特許文献２】特開平１１−０５８２５９号公報
【発明の概要】
【発明が解決しようとする課題】
【００１５】
しかしながら、特許文献１に示される従来技術は、上述した３．だけの目的のために、用紙に残されているステイプル針の位置を検出する装置、その位置にパンチユニットを移動させる装置、パンチユニットにパンチを行わせる処理、という複雑な構成と制御が必要であって、多目的な用途に採用できる方法ではない。
【００１６】
また、特許文献１に示される従来技術は、ステイプル針の飛散を防止して保持するのみで、上述した密着された用紙とステイプル針の間に突起部を挿入する困難な作業を改善するものでも解消するものでもない。
【００１７】
いずれにしても、ステイプル針の除去はホチキス止めと同様に頻繁に行われる作業であるにも拘わらず、ホチキス止めに比べて非常に手間の掛かる作業が必要である。したがって、ホチキス止めと同様の手軽さでステイプル針の除去ができるような用具の実現が望まれる。
【００１８】
もっとも、ステイプル針を用いるホチキスと、ステイプル針を用紙から引き抜く器具は別個の用具として古くから存在する。しかし、ホチキス止めとステイプル針除去の作業をそれぞれ別個の用具で行うのでは、使い分けが面倒で手軽とはいえない。
【００１９】
上記の課題を解決するために、本発明は、多目的な用途に使用できるステイプル針除去用パンチ付きホチキスを提供することを目的とする。
【課題を解決するための手段】
【００２０】
本発明のステイプル針除去用パンチ付きホチキスは、針押出板により針ホルダーの先端から該針ホルダーに収容されているステイプル針の先頭部の１個を外部に押し出しながら該ステイプル針を針曲げ溝に沿って押圧して該針曲げ溝の上に予め載置された複数枚の用紙を上記ステイプル針によりホチキス止めするホチキス部と、パンチ孔と該パンチ孔の内周に摺接して進退可能なパンチ刃を備え、上記ホチキス部でホチキス止めされたステイプル針を上記複数枚の用紙のホチキス止め部と共にパンチ抜きするパンチ部と、上記ホチキス部の動作を禁止可能なストッパと、を一体に組み付けられて構成される。
【００２１】
そして、上記パンチ部は、上記ホチキス部が上記複数枚の用紙をホチキス止めするとき上記パンチ孔に上記パンチ刃を空パンチさせ、上記ホチキス部は、上記パンチ部がパンチ抜きするとき上記ホチキス部の上記針押出板の前面に沿う位置で上記針ホルダーの前端部上面に当接する位置に移動した上記ストッパによりホチキス止め動作を禁止される、ように構成される。
【００２２】
上記パンチ刃は、例えば、複数の山部と谷部から成り且つ上記谷部の少なくとも一箇所は他の谷部よりも深く形成されている。また、上記パンチ孔と上記パンチ刃は、例えば、それぞれ上記用紙の上記ステイプル針による上記ホチキス止め部を取り囲む形状の楕円形に形成されている。
【００２３】
このステイプル針除去用パンチ付きホチキスは、例えば、切替レバーの前後への摺動に応じて前後に移動可能な用紙止めを更に有し、該用紙止めは、上記ホチキス部が上記複数枚の用紙をホチキス止めするとき、上記パンチ部よりも前方に位置して上記複数枚の用紙が上記パンチ部に進入することを禁止し、上記パンチ部がパンチ抜きするとき、上記パンチ部よりも後方に移動して上記ストッパと一体な移動部に当接し該移動部を後方に移動させ、上記ストッパを上記ホチキス部のホチキス止め動作を禁止する位置に移動させる、ように構成される。
【００２４】
また、このステイプル針除去用パンチ付きホチキスは、例えば、連結軸を支点に上下に回動可能な上カバー部と下カバー部の、待機時における開成とホチキス止め又はパンチ抜き実行時における閉成とに拮抗して従う板バネ部を更に有し、該板バネ部は、上記上カバー部に突設されている上記パンチ刃を下方から覆うように湾曲して形成されると共に上記パンチ刃が貫通可能な孔を有する、ように構成される。
【発明の効果】
【００２５】
本発明は、多目的な用途に使用できるステイプル針除去用パンチ付きホチキスの提供が可能となるという効果を奏する。
【図面の簡単な説明】
【００２６】
【図１】本発明の実施例１に係るステイプル針除去用パンチ付きホチキス（パンチ付きホチキス）の外観上面図、(b) は外観側面図、(c) は外観下面図である。
【図２】(a) は実施例１に係るパンチ付きホチキスの側断面、(b) はそのパンチ刃の拡大図、(c) はそのパンチ刃の下面図である。
【図３】実施例１に係るパンチ付きホチキスによる用紙のパンチ抜き状態を示す図である。
【発明を実施するための形態】
【００２７】
以下、本発明の実施の形態について、詳細に説明する。
【実施例１】
【００２８】
図１(a) は、本発明の実施例１に係るステイプル針除去用パンチ付きホチキス（以下、単にパンチ付きホチキスという）の外観上面図であり、図１(b) は外観側面図、図１(c) は外観下面図である。
【００２９】
図２(a) は、実施例１に係るパンチ付きホチキスの側断面であり、図２(b) はそのパンチ刃の拡大図、図２(c) はそのパンチ刃の下面図である。
【００３０】
以下、図１(a),(b),(c) 及び図２(a),(b),(c) を用いてパンチ付きホチキスの構成を説明する。本例のパンチ付きホチキス１は、上カバー２、下カバー３、針ホルダー４からなる。
【００３１】
針ホルダー４は、内部にステイプル針５を収納する。また、針ホルダー４の内部には、ステイプル針５の後尾部（図の右端部）を先頭部方向（図の左方向）に押圧する針押し駒６が設けられている。
【００３２】
この針押し駒６は、駒移動スプリング８を介して中フレーム７と連結されている。針押し駒６は、駒移動スプリング８により、通常の使用状態ではステイプル針５を押し付ける方向に付勢され、上カバー２を開いた時はステイプル針５から離れる方向に付勢される。
【００３３】
上記の中フレーム７は上カバー２に取り付けられている。上カバー２には、中フレーム７の他に、針押出板９、板バネＡ１１が取り付けられている。中フレーム７はステイプル針５の落下防止と、その非使用時に針押出がステイプル針５を押すことを防いでいる。
【００３４】
そのため、板バネＡ１１は、常には針押出を固定している上カバー２と中フレーム７の間を一定の間隔に保つよう付勢している。その間隔は、上カバー２が下方に押し込まれたときのみ板バネＡ１１の付勢力に抗して狭くなる。
【００３５】
下カバー３には、シャーシ１２が取り付けられている。シャーシ１２には、ステイプル針５の先端をカシメるときの先端曲げを案内する針曲げ溝１３と、上カバー２側と連結して相対的に回動するための支点軸１４を備えている。
【００３６】
上カバー２の針押出は、上カバー２が下方に押し込まれたとき、ステイプル針５の先頭部の一本を針ホルダー４より押し出しながら針曲げ溝１３に押圧して、ステイプル針５の先端をカシメる役割を持っている。
【００３７】
下カバー３のシャーシ１２と上カバー２の針ホルダー４との間には、板バネＢ１５が配置されている。板バネＢ１５は、ホチキス止め又はステイプル針除去のために複数枚の用紙が挿入されるときの挿入性を確保するために、シャーシ１２と針ホルダー４との間の間隔を一定の保つようにしている。
【００３８】
上述の構造は、一般的なホチキスの構造といえるものであり、本例では、このようなホチキスの構造に用紙のホチキス止め部のパンチ抜き機構を付加して、パンチ付きホチキスとしている。
【００３９】
すなわち、針ホルダー４の底面にパンチ刃１６を取り付け、シャーシ１２にパンチ孔１７を設けている。上カバー２と下カバー３を閉じたとき、パンチ刃１６がパンチ孔１７に摺接しながら進入し、用紙のホチキス止め部のパンチ抜きを行う。
【００４０】
ホチキス止めとパンチ抜きの個々の機能を別個に行うことができるように、下カバー３側には移動板１８が設けられている。この移動板１８は、切替レバー１９と用紙止め２１を備えている。切替レバー１９は、人の指等で位置Ａと位置Ｂに切替え可能に構成されている。
【００４１】
ホチキス止めを行うとき、切替レバー１９は位置Ａに設定される。これにより、用紙止め２１は、ホチキス止めを行う際に、パンチ孔１７に進退して空パンチ動作するパンチ刃１６の位置まで用紙が誤って侵入するのを防いでいる。
【００４２】
パンチ抜きを行うとき、切替レバー１９は位置Ｂに設定される。切替レバー１９が位置Ｂ方向に移動するとき、これと一体な移動板１８の用紙止め２１も位置Ｂ方向に移動する。
【００４３】
上カバー２の内側前端部には、前後に移動可能なストッパ２２が配設されている。ストッパ２２は上カバー２の内側前端面にほぼ沿った形状であり、常には保持部２３を押し螺旋バネ２４に付勢されて、上カバー２の内側前端面に当接している。
【００４４】
保持部２３は上カバー２の前端部から後端部にわたって延在し、後端部にはストッパ２２とほぼ同等の形状の移動部２５を備えている。これにより、ストッパ２２と移動部２５とが保持部２３を介して一体に構成されている。
【００４５】
上記の用紙止め２１は、位置Ｂ方向に移動したとき移動部２５を押して、移動部２５を後方（図の右方）２５´の位置に移動させる。これにより、移動部２５と一体なストッパ２２が後方２２´の位置に移動する。
【００４６】
後方２２´の位置に移動したストッパ２２は、針押出の前面に当接し、上カバー２の内側上面と針ホルダー４の前端縁部の上面との間に位置して、上カバー２が針ホルダー４側に回動すること、すなわち針押出板９がステイプル針５を押すことを禁止する。
【００４７】
切替レバー１９を位置Ａ（ホチキス止め用）に移動させると、ストッパ２２は押し螺旋バネ２４に付勢されて前方に移動する。これにより、針ホルダー４側への上カバー２の回動禁止が解除され、針押出板９によるステイプル針５の押し出しが可能となる。
【００４８】
また、前述した板バネＢ１５は、ホチキス止めするために針ホルダー４とシャーシ１２の間に挿入された用紙がパンチ刃１６に引っ掛かるのを防止するため、パンチ刃１６を覆うように取り付けられている。更に、この板バネＢ１５には、パンチ抜きを行うときにパンチ刃１６が通過するための孔が形成されている。
【００４９】
ここで、上述した位置Ａと位置Ｂの関係は、針曲げ溝１３から位置Ａにある用紙止め２１までの距離Ｃと、パンチ孔１７から位置Ｂにあるときの用紙止め２１までの距離Ｄとの関係が「Ｃ≦Ｄ」となるように設定されている。
【００５０】
図２(b),(c) に示すパンチ刃１６の詳細図において、パンチ刃１６の刃先は、パンチ性能を高めるために、複数の山部２６と、この山部２６と同数の谷部２７とで形成されている。そして、谷部２７の少なくとも一箇所の谷部２７ａは他の谷部２７よりも深く形成されている。
【００５１】
この谷部２７ａの位置は、パンチ抜きされる用紙２８の位置よりも深い位置、つまり用紙２８を突き抜けない位置とし、パンチ抜きしたときに、用紙２８の完全な切り落としを防ぐ構造となっている。
【００５２】
図３は、上記構成のパンチ付きホチキス１による用紙２８のパンチ抜き状態を示す図である。尚、同図は用紙２８を咥えたパンチ付きホチキス１を下面側から見た図である。
【００５３】
用紙２８を綴じているステイプル針５がパンチ孔１７を透して確認できたところで、上カバー２と下カバー３を押し合わせて、ホチキス止め部のパンチ抜きを行う。その後、上述した谷部２７ａに対応する位置で用紙２８に付いているステイプル針付パンチカスを取り除く。
【００５４】
尚、下カバー３を、針曲げ溝１３とパンチ孔１７を除いた部分を例えば透明の硬質樹脂で構成すれば、用紙２８を綴じているステイプル針５をパンチ孔１７を透して確認することが更に容易となる。
【００５５】
このように、本発明によれば、パンチ付きホチキス１により、ホチキス止め部をパンチ抜きしてステイプル針を除去するので、ステイプル針の除去作業が簡単に行うことができて作業の手間が省ける。
【００５６】
また、パンチ付きホチキス１により、ホチキスとしての用具とパンチとしての用具を一体化させたので、ホチキスの止め位置、方向、順番等を間違えて綴じてしまった場合やホチキス止め後に、一部資料の追加、削除、変更等が発生した場合に即対応が可能となって便利である。
【００５７】
また、パンチ刃の山部と谷部からなる刃先の谷部の一箇所を深くして、パンチカスの落下を防ぐようにしたので、金属であるステイプル針の落下により機器の故障を招いたり、飛散したステイプル針で足底を傷つけることもなく、パンチ孔をパンチカスで塞いでしまうことも無くなる。
【産業上の利用可能性】
【００５８】
本発明は、ステイプル針除去用パンチ付きホチキスに利用することができる。
【符号の説明】
【００５９】
１  ステイプル針除去用パンチ付きホチキス（パンチ付きホチキス）
２  上カバー
３  下カバー
４  針ホルダー
５  ステイプル針
６  針押し駒
７  中フレーム
８  駒移動スプリング
９  針押出板
１１  板バネＡ
１２  シャーシ
１３  針曲げ溝
１４  支点軸
１５  板バネＢ
１６  パンチ刃
１７  パンチ孔
１８  移動板
１９  切替レバー
２１  用紙止め
２２（２２ａ、２２ｂ）  ストッパ
２３  保持部
２４  押し螺旋バネ
２５  移動部
２６  山部
２７、２７ａ  谷部
２８  用紙
【図１】
0005428803.tif 000002
【図２】
0005428803.tif 000003
【図３】
0005428803.tif 000004